(57)【要約】【課題】  ランドセルを使用者の背中から離れ難くすることができるとともに、安定した使用感の得られるランドセル用ベルト保持具を提供する。【解決手段】  ベース１１に対してスライダー３２をスライドさせることにより、背負いベルト４の上端部４ａの間隔を調節するランドセル用ベルト保持具３において、スライダー３２から上方へ延び、上向きに開口したベルト保持部５０を有するベルトホルダー４９を設ける。【選択図】    図２
2006304929.tif 000002
【特許請求の範囲】
【請求項１】
ベースに対してスライダーをスライドさせることにより、ベルトの上端部の間隔を調節するランドセル用ベルト保持具において、
前記スライダーから上方へ延び、上向きに開口したベルト保持部を有するベルトホルダーを設けた、
ことを特徴とするランドセル用ベルト保持具。
【請求項２】
請求項１に記載のランドセル用ベルト保持具において、
前記ベルトホルダーを前記スライダーに対して前後方向へ回動自在に取り付け、
前記ベルトホルダーを回動位置にロックするロック機構を設けた、
ことを特徴とするランドセル用ベルト保持具。
【請求項３】
請求項１に記載のランドセル用ベルト保持具において、
前記ベルトホルダーを前記スライダーに対して左右方向へ回動自在に取り付けた、
ことを特徴とするランドセル用ベルト保持具。
【請求項４】
請求項３に記載のランドセル用ベルト保持具において、
前記ベルトホルダーを回動位置にロックするロック機構を設けた、
ことを特徴とするランドセル用ベルト保持具。
【請求項５】
請求項１から請求項４のいずれか１項に記載のランドセル用ベルト保持具において、
前記スライダーに対する前記ベルトホルダーの高さを調整する高さ調整機構を設けた、
ことを特徴とするランドセル用ベルト保持具。
【請求項６】
請求項１から請求項５のいずれか１項に記載のランドセル用ベルト保持具において、
前記ベルトホルダーと、このベルトホルダーを前記スライダーに対して取り付ける部材とを、バックルの雄部材と雌部材とにした、
ことを特徴とするランドセル用ベルト保持具。
【発明の詳細な説明】
【技術分野】
【０００１】
この発明は、ベースに対してスライダーをスライドさせることにより、ベルトの上端部の間隔を調整するランドセル用ベルト保持具に関するものである。
【背景技術】
【０００２】
上記したランドセル用ベルト保持具として、ベースに対してスライダーをスライドさせることにより、ベルトの上端部を取り付ける取付環の間隔を調整できるものが提案されている。
【特許文献１】実公平５−２９６１３号公報
【０００３】
また、別のランドセル用ベルト保持具として、ベルトの上端部を取り付ける取付環を取り付けた連結部材を、上下方向（前後方向）および左右方向へ回動自在に取り付けるとともに、コイルスプリングで上方向（後方向）へ付勢したものが提案されている。
【特許文献２】特許第３５０８００４号明細書
【０００４】
さらに、別のランドセル用ベルト保持具として、上向きに開口した挿入部を有する一対の連結体を、左右方向へ回動自在に噛み合わせて設けたものが提案されている。
【特許文献３】特開２００３−３３９４１９号公報
【発明の開示】
【発明が解決しようとする課題】
【０００５】
上記した特許文献１に記載されているランドセル用ベルト保持具は、ベルトの上端部の間隔を調整した位置に固定できるものの、取付環が前後方向へ回動するので、ランドセルの上方が使用者の背中から離れて後方へ傾き易く、ベルトに張りがない場合、ベルトが肩から外れ易くなる。
また、特許文献２および特許文献３に記載されているランドセル用ベルト保持具は、ベルトの上端部の間隔が体格に合わせて大きく拡げられたときにベルトが左右方向へ傾いて肩に当たるので、肩が痛くなるなどの不快感を与え、また、ベルトの角度変化が大きいので、安定した使用感を得ることができない。
【０００６】
この発明は、上記したような不都合を解消するためになされたもので、ランドセルを使用者の背中から離れ難くすることができるとともに、ベルト上端の間隔の調整範囲を大きくして体格に合わせることができ、安定した使用感の得られるランドセル用ベルト保持具を提供するものである。
【課題を解決するための手段】
【０００７】
この発明は、以下のような発明である。
（１）ベースに対してスライダーをスライドさせることにより、ベルトの上端部の間隔を調節するランドセル用ベルト保持具において、前記スライダーから上方へ延び、上向きに開口したベルト保持部を有するベルトホルダーを設けたことを特徴とする。
（２）（１）に記載のランドセル用ベルト保持具において、前記ベルトホルダーを前記スライダーに対して前後方向へ回動自在に取り付け、前記ベルトホルダーを回動位置にロックするロック機構を設けたことを特徴とする。
（３）（１）に記載のランドセル用ベルト保持具において、前記ベルトホルダーを前記スライダーに対して左右方向へ回動自在に取り付けたことを特徴とする。
（４）（３）に記載のランドセル用ベルト保持具において、前記ベルトホルダーを回動位置にロックするロック機構を設けたことを特徴とする。
（５）（１）から（４）のいずれか１つに記載のランドセル用ベルト保持具において、前記スライダーに対する前記ベルトホルダーの高さを調整する高さ調整機構を設けたことを特徴とする。
（６）（１）から（５）のいずれか１つに記載のランドセル用ベルト保持具において、前記ベルトホルダーと、このベルトホルダーを前記スライダーに対して取り付ける部材とを、バックルの雄部材と雌部材とにしたことを特徴とする。
【発明の効果】
【０００８】
この発明によれば、スライダーから上方へ延び、上向きに開口したベルト保持部を有するベルトホルダーを設けたので、ベルトの上端部がベルト保持部から上側へ延びた後に前側へ湾曲することとなり、ランドセルが使用者の背中から離れ難くなるとともに、ベルトが肩から外れ難くなる。
また、ベルトの上端部の間隔を、スライダーを移動させることによって調整し、スライダーの位置を固定することにより、ベルトの傾きを一定に固定することができ、ランドセルが背中に傾いて当たらなくなるので、使用感のよいものとなる。
そして、ベルトホルダーをスライダーに対して前後方向へ回動自在に取り付け、ベルトホルダーを回動位置にロックするロック機構を設けたので、ベルトの上端部を前後方向の最適回動位置にロックすることができる。
また、ベルトホルダーをスライダーに対して左右方向へ回動自在に取り付けたので、使用者の体格に応じてスライダーを移動させてベルトの上端部の間隔を調整した後、ベルトの上端部の間隔が体格に合わせて微調整されても、そのときのベルトの回転角が小さく、ベルトの接触角度変化が小さいため、ベルトが肩に沿うかたちとなり、安定した使用感を得ることができる。
さらに、ベルトホルダーを回動位置にロックするロック機構を設けたので、ベルトの上端部を左右方向の最適回動位置にロックすることができる。
そして、スライダーに対するベルトホルダーの高さを調整する高さ調整機構を設けたので、ベルトホルダーの高さを最適高さ位置に調整することができる。
さらに、ベルトホルダーと、このベルトホルダーをスライダーに対して取り付ける部材とを、バックルの雄部材と雌部材とにしたので、ベルトの着脱を容易に行うことができるとともに、ベルトの交換を容易に行うことができる。
【発明を実施するための最良の形態】
【０００９】
以下、この発明の実施例を図に基づいて説明する。
【００１０】
図１はこの発明の第１実施例であるランドセル用ベルト保持具を取り付けたランドセルの斜視図、図２は図１に示したランドセル用ベルト保持具の正面図、図３は図２に示したランドセル用ベルト保持具の分解斜視図、図４は図２に示したランドセル用ベルト保持具の要部の拡大横断面図、図５は図２に示したランドセル用ベルト保持具のスライダーロック機構を示す部分斜視図、図６はスライダーロック機構をアンロック状態にした図４に対応する拡大横断面図である。
なお、図１における背負いベルトは、上、下端部を除いた部分を省略してある。
そして、以下の説明における前後、左右、上下は、図２の正面図に対するものである。
【００１１】
図１において、１はランドセルを示し、ランドセル本体２と、このランドセル本体２の背負い面２ａの上部中央に固定されたランドセル用ベルト保持具３と、このランドセル用ベルト保持具３の一対のベルトホルダー４９に上端部４ａを保持され、下端部４ｂがランドセル本体２の底部２ｂに長さ調整可能で、取り外し可能に取り付けられた一対の背負いベルト４とで構成されている。
【００１２】
そして、ランドセル用ベルト保持具３には、図３に示すように、ベース１１と、このベース１１に取り付けられる合成樹脂製のフック２３と、ベース１１に取り付けられる合成樹脂製の一対のスペーサー２８と、ベース１１内でベース１１に対してスライドする一対のスライダー３２と、この一対のスライダー３２を同時に左右方向へ対称に移動させる連結機構３８と、一対のスライダー３２を所定位置にロックするスライダーロック機構４４と、ベース１１から突出する一対のスライダー３２の部分に取り付けられた合成樹脂製のベルトホルダー４９とで構成されている。
【００１３】
上記したベース１１は、図３に示すように、左側面視角張ったＣ字型状の、例えば、金属板製のベース本体１２と、このベース本体１２を収容する、例えば、合成樹脂製のカバー１８とで構成されている。
そして、ベース本体１２は、左右に細長く、上下端が平行している底部１３と、この底部１３の上下端から前側へ平行に起立させて折り曲げられた上壁部１４、下壁部１５と、底部１３の左右方向の中央部分を除いた上、下壁部１４，１５から互いに接近するように底部１３と平行に折り曲げられ、互いの間に左右へ延びるスライド溝１６ａを形成する前壁部１６と、この前壁部１６の設けられていない上壁部１４の前端中央部分から上側へ折り曲げられて矩形状で突出し、中央部分に取付孔１７ａが設けられた取付片１７とで構成されている。
なお、底部１３には、前壁部１６の設けられていない中央部分に中央取付孔１３ａが設けられ、前壁部１６の左右に張り出した張出部分にそれぞれ端取付孔１３ｂが設けられている。
また、カバー１８には、ベース本体１２の中央取付孔１３ａに対応する部分に、方形の中央窓１９が設けられ、この中央窓１９の左右両側に、ベース本体１２の各スライド溝１６ａに対応して左右へ延びる長孔２０が設けられ、ベース本体１２の各端取付孔１３ｂに対応する部分に、貫通孔２１が設けられている。
【００１４】
上記したフック２３には、図３に示すように、下端部に、ベース本体１２の取付片１７の厚さ、大きさで下方へ開口する挿入穴２４が設けられ、この挿入穴２４が設けられた部分に、取付片１７の取付孔１７ａに対応させて挿通孔２５が設けられている。
そして、フック２３は、タッピングねじなどの取付ねじ２６によってベース本体１２の取付片１７に取り付けられる。
【００１５】
上記したスペーサー２８は、図３に示すように、ベース本体１２の底部１３と前壁部１６と間に底部１３へ接するように挿入される挿入部２８ａと、ベース本体１２の底部１３に接し、上、下壁部１４，１５、前壁部１６の外側へはみ出すはみ出し部２８ｂとで構成され、スライダー３２の高さを後述するピニオンギア４０の高さに保持するものであり、はみ出し部２８ｂの挿入部２８ａ側の端面が突き当て面２８ｃとされている。
そして、各スペーサー２８には、スライダー３２が当接する挿入部２８ａの面に、摩擦抵抗を少なくする目的で、左右方向（スライダー３２の摺動方向）へ延びる複数の溝２９が設けられ、ベース本体１２の端取付孔１３ｂに対応する差込孔３０がはみ出し部２８ｂに設けられている。
なお、一対のスペーサー２８は、左右対称に構成されている。
【００１６】
上記した各スライダー３２は、金属板を加工して構成され、図３に示すように、ベース本体１２のスライド溝１６ａ、カバー１８の長孔２０から前側へ突出する平行平板部分からなる基部３３と、この基部３３の長孔２０から前側へ突出した部分を連結するリング部３４と、基部３３の後端から上下に延び、上、下壁部１４，１５、前壁部１６およびスペーサー２８で移動可能に保持される脚部３５とで構成されている。
そして、各スライダー３２の脚部３５の一方には、後述するピニオンギア４０に上側または下側で噛み合う歯３６ａを左右方向に有するラック部３６が左右方向へ設けられている。
なお、一対のスライダー３２は、同じ構造で、１８０度回転させたものである。
【００１７】
上記した連結機構３８は、図３に示すように、下端部がベース本体１２の中央取付孔１３ａに嵌合する下側小径部３９ａとされ、上端部が下側小径部３９ａよりも大径で、下側小径部３９ａと同心の上側中径部３９ｂとされ、中央部分が上側中径部３９ｂよりも大径で、下側小径部３９ａおよび上側中径部３９ｂと同心の中央大径部３９ｃとされ、中心に挿通孔３９ｄが設けられた金属製のカラー３９と、このカラー３９の上側中径部３９ｂが孔４０ａに回転可能に挿入され、中央大径部３９ｃの上側端面で支持されて各スライダー３２を構成するラック部３６の歯３６に噛み合う金属製のピニオンギア４０と、このピニオンギア４０およびカラー３９をベース本体１２に取り付ける金属製のビス４１、ナット４２とで構成されている。
【００１８】
上記したスライダーロック機構４４は、図３に示すように、中央部分にカラー３９の下側小径部３９ａが挿入される孔４５ａが設けられ、前へ湾曲した左右の両端が当接部４５ｂとされた、金属製の方形状の板ばね４５と、カラー３９の中央大径部３９ｃが挿入される孔４６ａが設けられ、左右両端が前側へ折り曲げられ、板ばね４５の付勢力によって各スライダー３２を構成するラック部３６の歯３６に噛み合う突条部４６ｂとされた、金属製の方形状のストッパープレート４６と、このストッパープレート４６を押す押し釦４７とで構成されている。
そして、押し釦４７は、合成樹脂で成形され、カバー１８の中央窓１９へ挿入される押圧部４７ａと、この押圧部４７ａの左右後端から後側へ延びる弾性片４７ｂと、この各弾性片４７ｂの外側に設けられ、カバー１８の後端に当接する係合突起４７ｃとで構成されている。
なお、板ばね４５およびストッパープレート４６は、組み立てた状態で、ベース本体１２の上壁部１４と下壁部１５とによって回動を阻止される。
【００１９】
上記したベルトホルダー４９には、図２に示すように、上向きに開口したベルト保持部５０と、図３および図４に示すように、スライダー３２のリング部３４を挿入した状態で、リング部３４の間およびリング部３４の外側に位置する取付孔５２とが設けられている。
そして、ベルトホルダー４９のベルト保持部５０の部分に、背負いベルト４の上端部４ａを、例えば、鋲で取り付けるための取付孔５１が設けられている。
このベルトホルダー４９は、軸部７４が取付孔５２およびスライダー３２のリング部３４へ挿入され、この軸部７４の一端に、ベルトホルダー４９の一側に当接する頭部７５が設けられ、軸部７４の他端部に、ベルトホルダー４９の他側に当接するＥリングと呼ばれる金属製の止め輪８５を係止させる係止溝７６が設けられた金属製の取付ピン７３によって取り付けられる。
なお、一対のベルトホルダー４９は、左右対称に構成されている。
【００２０】
図３において、１１１はランドセル用ベルト保持具３をランドセルに取り付ける取付鋲を示す。
【００２１】
次に、ランドセル用ベルト保持具３の組立、取付の一例について説明する。
まず、カラー３９の下側小径部３９ａを、板ばね４５の孔４５ａへ挿入した（嵌め込んだ）後、ベース本体１２の底部１３の中央取付孔１３ａへ挿入する（嵌め込む）。
そして、ストッパープレート４６の孔４６ａ内へカラー３９の中央大径部３９ｃを挿入した後、上側中径部３９ｂを孔４０ａに挿入して（嵌め込んで）ピニオンギア４０を中央大径部３９ｃの上側に位置させる。
次に、孔４０ａの上側から孔４０ａ、挿通孔３９ｄへとビス４１の軸部を挿入し、底部１３の下側へ突出したビス４１の軸部にナット４２を螺合させ、締め付けることにより、板ばね４５、カラー３９、ストッパープレート４６およびピニオンギア４０を底部１３（ベース本体１２）に固定する（図４参照）。
このようにして板ばね４５、カラー３９、ストッパープレート４６およびピニオンギア４０を底部１３（ベース本体１２）に固定すると、板ばね４５は少し圧縮され、復元力でストッパープレート４６をピニオンギア４０へ押し付ける。
【００２２】
次に、ベース本体１２の左右の外側から底部１３、上、下壁部１４，１５、前壁部１６で形成される空間内へ、スペーサー２８の挿入部２８ａを挿入して突き当て面２８ｃを上、下壁部１４，１５の端部に突き当てた後、スライダー３２のラック部３６側から歯３６ａを向かい合わせて前壁部１６とスペーサー２８との間へ挿入し、図６に示すように、ストッパープレート４６を板ばね４５の付勢力に抗して押し下げながら各ラック部３６の歯３６ａをピニオンギア４０に対称に噛み合わせる。
このようにして各ラック部３６の歯３６ａをピニオンギア４０に噛み合わせると、スライダー３２の基部３３がスライド溝１６ａに入り、スライド溝１６ａの前側にリング部３４が突出する。
そして、ストッパープレート４６を押し下げる力を取り除くと、ストッパープレート４６が板ばね４５の復元力で浮上し、突条部４６ｂが各ラック部３６の歯３６に噛み合い、スライダー３２はロックされ、左右方向への移動を阻止される（図４参照）。
【００２３】
次に、フック２３の挿入穴２４内へベース本体１２の取付片１７を挿入し（嵌め込み）、挿通孔２５から差し込んだ取付ねじ２６を取付孔１７ａに螺合させることにより、フック２３をベース本体１２に固定する（図２参照）。
【００２４】
次に、ベース本体１２の前側にカバー１８を被せ、左右の長孔２０からスライダー３２の基部３３の一部およびリング部３４を突出させ、左右のリング部３４にベルトホルダー４９を被せることにより、リング部３４と取付孔５２とを同一直線状に位置させる。
そして、取付ピン７３の軸部７４を取付孔５２、リング部３４へ挿通し、ベルトホルダー４９から突出した軸部７４に設けられている係止溝７６に止め輪８５を係合させ、取付ピン７３がベルトホルダー４９から抜けるのを阻止する（図４、図６参照）。
【００２５】
次に、取付鋲１１１をカバー１８の貫通孔２１、スペーサー２８の差込孔３０、ベース本体１２の端取付孔１３ｂへ挿入し、ベース本体１２から後側へ突出した取付鋲１１１の部分をランドセル本体２の背負い面２ａから内側へ突出させ、ワッシャーを通した後にかしめることにより、ランドセル本体２に固定する。
なお、ビス４１も、ランドセル本体２の内側に突出した部分にワッシャーを通した後にナットを螺合させることにより、ランドセル本体２に固定する。
【００２６】
次に、カバー１８の中央窓１９へ前面側から、押し釦４７の弾性片４７ｂを後側にして押圧部４７ａを押すと、係合突起４７ｃが中央窓１９の内縁で押されて各弾性片４７ｂが内側へ撓むので、押圧部４７ａを中央窓１９内へ押し込むことができる。
そして、各係合突起４７ｃが中央窓１９の内縁を乗り越えると、弾性片４７ｂがストッパープレート４６を押し込み、自身の弾性で復帰することにより、係合突起４７ｃが中央窓１９の内縁後端と対向し、係合する状態になる（図６参照）。
この状態で押圧部４７ａを押す力を取り除くと、ストッパープレート４６が板ばね４５の復元力で復帰し、突条部４６ｂが各ラック部３６の歯３６に噛み合い、また、各係合突起４７ｃが中央窓１９の内縁後端に係合して押し釦４７が中央窓１９から抜けるのを阻止する（図４参照）。
【００２７】
最後に、各背負いベルト４の上端部４ａを、ベルトホルダー４９のベルト保持部５０内へ挿入し、取付孔５１から背負いベルト４、取付孔５１へ挿通した、例えば、取付鋲をかしめて固定し、各背負いベルト４の下端部４ｂを、ランドセル本体２の底部２ｂに固定することにより、組立、取付が完了する。
【００２８】
次に、背負いベルト４の上端部４ａの間隔調整について説明する。
まず、図６に示すように、押し釦４７を板ばね４５の付勢力に抗して押し込み、ストッパープレート４６の突条部４６ｂがスライダー３２の歯３６ａに噛み合うのを解除した後、背負いベルト４またはベルトホルダー４９の一方を持って動かしたい方向、例えば、背負いベルト４の上端部４ａの間隔を拡げたい場合は、ベルトホルダー４９が互いに離れる方向へ、逆に、背負いベルト４の上端部４ａの間隔を狭めたい場合は、ベルトホルダー４９が互いに接近する方向へ所望の位置まで移動させる。
【００２９】
このようにして背負いベルト４またはベルトホルダー４９の一方を移動させてスライダー３２の一方を移動させると、両ラック部３６の歯３６ａがピニオンギア４０に噛み合っているので、ピニオンギア４０が回転する。
したがって、両スライダー３２はピニオンギア４０を中心にして左右対称に移動するので、背負いベルト４の上端部４ａの間隔を所望の間隔にすることができる。
なお、上端部４ａの間隔は、スライド溝１６ａおよび長孔２０を移動するスライダー３２の基部３３が長孔２０の外側端部２０ａ（図３参照）に当接することによって最大間隔となり、また、スライド溝１６ａおよび長孔２０を移動するスライダー３２の基部３３が長孔２０の内側端部２０ｂ（図３参照）に当接することによって最小間隔となる。
【００３０】
そして、背負いベルト４の上端部４ａの間隔を所望の間隔に拡げたり、狭めた後、押し釦４７を押し込む力を取り除くと、図４、図５に示すように、板ばね４５の復元力でストッパープレート４６および押し釦４７は元の状態へ復帰し、突条部４６ｂが各ラック部３６の歯３６ａに噛み合うことにより、各ストッパープレート４６は移動を阻止される。
【００３１】
上述したように、この発明の第１実施例によれば、スライダー３２から上方へ延び、上向きに開口したベルト保持部５０を有するベルトホルダー４９を設けたので、背負いベルト４の上端部４ａがベルト保持部５０から上側へ延びた後に前側へ湾曲することとなり、ランドセル１が使用者の背中から離れ難くなるとともに、背負いベルト４が肩から外れ難くなる。
また、背負いベルト４の上端部４ａの間隔を、スライダー３２を移動させることによって調整し、スライダー３２の位置を固定することにより、背負いベルト４の傾きを一定に固定することができ、安定した使用感のよいものとなる。
【００３２】
図７はこの発明の第２実施例であるランドセル用ベルト保持具の要部を示す部分分解斜視図、図８はこの発明の第２実施例であるランドセル用ベルト保持具の一方のベルトホルダー部分の横断面図であり、図１〜図６と同一または相当部分に同一符号を付し、その説明を省略する。
【００３３】
図７または図８において、５２Ａはベルトホルダー４９に設けられた取付孔を示し、円形孔５２ａと、この円形孔５２ａの１８０度の対向位置から放射方向へ延びた係止孔５２ｂとで構成されている。
７４ａは扁平部を示し、取付ピン７３を構成する軸部７４の頭部７５と反対側端にＩカット状に設けられている。
そして、扁平部７４ａの軸部７４の周面に近い部分に、係止溝７６が設けられている。
７８は付勢部材としてコイルスプリングを示し、取付ピン７３の軸部７４が挿通され、取付ピン７３をベルトホルダー４９から抜け出るように頭部７５を付勢するものである。
【００３４】
８０は、ベルトホルダー４９が前後方向へ回動するのをロックする前後方向回動ロック機構を示し、取付ピン７３およびコイルスプリング７８と、スライダー３２に取り付けられる係止部材８１と、ベルトホルダー４９の取付孔５２Ａに取り付けられる係合部材８２と、取付ピン７３の係止溝７６に係合する止め輪８５とで構成されている。
【００３５】
上記した係止部材８１には、スライダー３２のリング部３４を挿入した状態で、リング部３４の間およびリング部３４の外側に位置する取付孔８１ａと、この取付孔８１ａの半径方向の外側に位置し、軸方向へ突出した係止突起８１ｂとが設けられている。
【００３６】
また、上記した係合部材８２は、ベルトホルダー４９の取付孔５２Ａを構成する円形孔５２ａに挿入される円柱部８３と、この円柱部８３の１８０度の対向位置から放射方向へ延び、ベルトホルダー４９の係止孔５２ｂに挿入される係合突起部８４とで構成されている。
そして、円柱部８３には、取付ピン７３の扁平部７４ａが挿通される扁平な挿通孔８３ａが設けられるとともに、この挿通孔８３ａの中心を中心とした円周上に、係止部材８１の係止突起８１ｂが係合する係合溝８３ｂが等角度間隔で複数設けられている。
【００３７】
次に、ベルトホルダー４９の取付の一例について説明する。
まず、カバー１８の長孔２０から突出した、スライダー３２の基部３３の一部およびリング部３４に係止部材８１を被せ、さらにベルトホルダー４９を被せることにより、リング部３４、取付孔８１ａ、取付孔５１，５２Ａを同一直線上に位置させる。
そして、取付ピン７３の軸部７４をコイルスプリング７８に挿通した後、軸部７４を取付孔５２、取付孔８１ａ、リング部３４、取付孔５２Ａへ挿通する。
さらに、ベルトホルダー４９から突出した軸部７４の扁平部７４ａを係合部材８２の挿通孔８３ａへ挿通し、円柱部８３を円形孔５２ａに嵌合させ、係合突起部８４を係止孔５２ｂに嵌合させるとともに、係止突起８１ｂを係合溝８３ｂに係合させた後、係止溝７６に止め輪８５を係合させ、取付ピン７３がベルトホルダー４９から抜けるのを阻止する。
なお、他の部分の取付は、第１実施例と同様になるので、説明を省略する。
【００３８】
次に、ベルトホルダー４９の前後方向への回動について説明する。
まず、図８の状態において、取付ピン７３の頭部７５をコイルスプリング７８の付勢力に抗して押し込むことにより、軸部７４が右側へ移動して係合部材８２を右側へ移動させる。
このようにして係合部材８２を右側へ移動させると、係止部材８１の係止突起８１ｂと係合部材８２の係合溝８３ｂとの係合が解除できるので、ベルトホルダー４９を取付ピン７３に対して前後方向の所望の位置へ回動させることができる。
【００３９】
そして、ベルトホルダー４９を取付ピン７３に対して前後方向の所望の位置へ回動させた後、頭部７５を押し込んでいた力を取り除くと、コイルスプリング７８の付勢力によって取付ピン７３および係合部材８２が左側へ移動し、係止突起８１ｂが係合溝８３ｂ内に入り、係合部材８２が係止部材８１に当接することにより、取付ピン７３および係合部材８２の左側への移動が停止する。
このようにして係止突起８１ｂが係合溝８３ｂ内に入ると、係止突起８１ｂが係合部材８２の回動を阻止してロックするので、ベルトホルダー４９は前後方向への回動を阻止され、ロックされる。
【００４０】
上述したように、この発明の第２実施例によれば、ベルトホルダー４９を前後方向への回動位置にロックする前後方向回動ロック機構８０を設けたので、背負いベルト４の上端部４ａを前後方向の最適回動位置にロックすることができる。
【００４１】
図９はこの発明の第３実施例であるランドセル用ベルト保持具の要部を示す部分分解斜視図、図１０は図９に示したベルトホルダーの一部を破断した正面図、図１１はこの発明の第３実施例で使用するスライダーを示す斜視図であり、図１〜図８と同一または相当部分に同一符号を付し、その説明を省略する。
【００４２】
図１１において、スライダー３２は、基部３３Ａを構成する平板部の間隔が広くされ、この基部３３Ａの上端を連結する天板部３４に取付孔３４ａが設けられている。
【００４３】
図９または図１０において、ベルトホルダー４９には、下向きに開放し、下端の対向する内側に係止段部５３ａが設けられた矩形状の挿入穴５３と、この挿入穴５３を貫通するように挿通孔５４が設けられている。
６２は釦を示し、ベルトホルダー４９の挿入穴５３内へ係止段部５３ａの間から挿入される挿入平板部６３と、この挿入平板部６３の両側面に設けられ、係止段部５３ａに係合する取付係合突起６５とで構成されている。
そして、挿入平板部６３には、挿入穴５３内へ挿入されるとき、挿通孔５４の間を通過する部分に、後述する小径柱９１が入るＵ溝が６３ａが設けられている。
【００４４】
８８はベースを示し、平板部８９と、この平板部８９の一面に設けられた支持柱９０とで構成されている。
そして、平板部８９には、取付ねじ９３でスライダー３２の天板部３４Ａに取り付けるための取付孔８９ａが設けられている。
また、支持柱９０は、断面円形の小径柱９１と、この小径部９１の頂部に小径部９１と同心、かつ、小径柱９１よりも大径で、ベルトホルダー４９の挿通孔５４へ隙間なく挿通可能な天板部９２とで構成されている。
【００４５】
次に、ベルトホルダー４９の取付の一例について説明する。
まず、カバー１８の長孔２０から突出したスライダー３２の基部３３Ａの一部および天板部３４Ａにベース８８を、支持柱９０を前側へ向けて取付ねじ９３を用いて取り付ける。
そして、支持柱９０をベルトホルダー４９の挿通孔５４へ挿通して平板部８９をベルトホルダー４９に当接させる。
このようにして平板部８９をベルトホルダー４９に当接させると、ベルトホルダー４９の前面と天板部９２の前面とが同一面を形成する状態になる。
【００４６】
次に、釦６２のＵ溝６３ａ開放側から係止段部５３ａの間へ挿入平板部６３を圧入させると、図１０に示すように、小径柱９１がＵ溝６３ａに入り、挿入平板部６３の前面が天板部９２の後面に当接する。
そして、図１０に示すように、取付係合突起６５が係止段部５３ａを乗り越えて係止段部５３ａに係合することにより、釦６２が挿入穴５３から抜けるのを阻止する。
なお、他の部分の取付は、第１実施例と同様になるので、説明を省略する。
【００４７】
次に、ベルトホルダー４９の左右方向への回動について説明する。
上記のようにしてベース８８にベルトホルダー４９を釦６２で取り付けると、ベルトホルダー４９および釦６２はベース８８の小径柱９１を中心にして回動できるので、ベルトホルダー４９を左右方向へ回動させることができる。
【００４８】
上述したように、この発明の第３実施例によれば、ベルトホルダー４９をスライダー３２に対して左右方向へ回動自在に取り付けたので、使用者の体格に応じてスライダー３２を移動させて背負いベルトの上端部の間隔を調整した後、背負いベルトの上端部の間隔が体格に合わせて微調整されても、そのときの背負いベルトの回転角が小さく、背負いベルトの接触角度変化が小さいため、背負いベルトが肩に沿うかたちとなり、安定した使用感を得ることができる。
【００４９】
図１２はこの発明の第４実施例であるランドセル用ベルト保持具の要部を示す部分分解斜視図、図１３は図１２に示した支持柱の小径柱を破断したベースの斜視図であり、図１〜図１１と同一または相当部分に同一符号を付し、その説明を省略する。
【００５０】
図１２において、８７は、ベルトホルダー４９が左右方向へ回動するのをロックする左右方向回動ロック機構を示し、スライダー３２天板部３４Ａに取り付けられるベース８８と、このベース８８にベルトホルダー４９を取り付ける釦６２と、この釦６２を付勢する付勢手段としてのコイルスプリング７１とで構成されている。
【００５１】
上記した釦６２は、ベルトホルダー４９の挿入穴５３内へ係止段部５３ａの間から挿入される挿入平板部６３と、この挿入平板部６３の両側面に設けられ、係止段部５３ａに係合する取付係合突起６５とで構成されている。
そして、挿入平板部６３には、鍵穴６３ｂと、この鍵穴６３を形成する上下に延びた矩形孔の底（上側）に位置し、ベース８８を構成する小径柱９１に設けられている係止溝９１ａに係合する係合突部６４とが設けられている。
【００５２】
上記したベース８８を構成する小径柱９１には、コイルスプリング７１で付勢された釦６２の係合突起６４が係合する軸方向へ延びた複数の係止溝９１ａが、円周方向へ等角度間隔で設けられている。
【００５３】
次に、ベルトホルダー４９の取付の一例について説明する。
まず、カバー１８の長孔２０から突出した、スライダー３２の基部３３Ａの一部および天板部３４Ａにベース８８を、支持柱９０を前側へ向けて取付ねじ９３を用いて取り付ける。
そして、ベルトホルダー４９の挿入穴５３内へコイルスプリング７１を挿入した後、釦６２の鍵穴６３ｂ底側から係止段部５３ａの間へ挿入平板部６３を圧入させると、取付係合突起６５が係止段部５３ａを乗り越えて係止段部５３ａに係合することにより、釦６２が挿入穴５３から抜けるのを阻止する。
このようにして釦６２を挿入し、取付係合突起６５を係止段部５３ａに係合させると、コイルスプリング７１で釦６２が付勢されることにより、釦６２の一部が挿入穴５３から突出する。
【００５４】
次に、挿入穴５３から突出している釦６２の部分を押し込み、鍵穴６３ｂを形成する円形孔の部分を挿通孔５４に連通させ、挿通孔５４から鍵穴６３ｂの円形孔へと支持柱９０を挿入させ、平板部８９をベルトホルダー４９に当接させると、ベルトホルダー４９の前面と天板部９２の前面とが同一面を形成する状態になる。
そして、釦６２を押し込んでいた力を取り除くと、コイルスプリング７１で釦６２が付勢されて挿入穴５３から突出する方向へ移動することにより、小径柱９１が鍵穴６３ｂの矩形孔に入り、挿入平板部６３の前面が天板部９２の後面に当接するとともに、係合突部６４が小径柱９１の係止溝９１ａに係合し、支持柱９０が取付孔５４から抜けるのを阻止する。
なお、他の部分の取付は、第１実施例と同様になるので、説明を省略する。
【００５５】
次に、ベルトホルダー４９の左右方向への回動について説明する。
上記のようにして組み立てた状態において、釦６２をコイルスプリング７１の付勢力に抗して押し込むことにより、係合突部６４が上側へ移動して小径柱９１の係止溝９１ａから抜け出る。
したがって、ベルトホルダー４９および釦６２を、支持柱９０を中心にして左右方向へ回動させることができる。
なお、ベルトホルダー４９および釦６２を支持柱９０を中心にして左右方向へ回動させることのできる状態においては、挿通孔５４と、鍵穴６３ｂを形成する円形孔とは重ならず、支持柱９０がベルトホルダー４９から抜け出ない状態になっている。
【００５６】
そして、ベルトホルダー４９を支持柱９０に対して左右方向の所望の位置へ回動させた後、釦６２を押し込んでいた力を取り除くと、コイルスプリング７１の付勢力によって釦６２が挿入穴５３から突出する下側へ移動し、係合突部６４が係止溝９１ａ内に入る。
このようにして係止突部６４が係止溝９１ａ内に入ると、小径柱９１が釦６２の回動を阻止してロックするので、ベルトホルダー４９は左右方向への回動を阻止され、ロックされるとともに、釦６２の挿入穴５３からの突出が停止する。
【００５７】
上述したように、この発明の第４実施例によれば、ベルトホルダー４９を左右方向への回動位置にロックする左右方向回動ロック機構８７を設けたので、背負いベルトの上端部を左右方向の最適回動位置にロックすることができる。
【００５８】
図１４はこの発明の第５実施例であるランドセル用ベルト保持具の要部を示す部分分解斜視図、図１５はこの発明の第５実施例であるランドセル用ベルト保持具の一方のベルトホルダー部分の縦断面図であり、図１〜図１３と同一または相当部分に同一符号を付し、その説明を省略する。
【００５９】
図１４または図１５において、ベルトホルダー４９には、下向きに開放したスライド溝５５と、このスライド溝５５に前側から連通する矩形状の挿入孔５６と、スライド溝５５と挿入孔５６との上側の境目部分に位置する受け部５７とが設けられている。
そして、スライド溝５５は、下向きに開放した矩形状の挿通穴５５ａと、この挿通穴５５ａの幅よりも狭く、挿通穴５５ａの中央に上下方向に位置して挿通穴５５ａを後側へ開放させる開放孔５５ｂとで構成されている。
なお、取付孔５２は、挿入孔５６を左右方向へ貫通する状態で設けられている。
【００６０】
６７は押し釦を示し、ベルトホルダー４９の挿入孔５６内へ挿入される平板状部６８と、この平板状部６８の下端後側に突出させて設けられた係合突条６９とで構成されている。
そして、平板状部６８には、取付ピン７３の軸部７４が挿通される取付孔６８ａと、後述するコイルスプリング７１Ａの端部を収容する収容凹部６８ｂとが設けられている。
７１Ａは付勢部材としてのコイルスプリングを示し、押し釦６７を所定方向へ回動するように付勢するものである。
【００６１】
９５は、ベルトホルダー４９が上下方向へ移動するのをロックする、すなわち、ベルトホルダー４９の高さを調整する高さ調整機構を示し、スライダー３２に取り付けられるベース９６と、このベース９６にベルトホルダー４９を取り付ける押し釦６７と、この押し釦６７を付勢するコイルスプリング７１Ａとで構成されている。
上記したベース９６は、平板部９７と、この平板部９７の一面に設けられ、ベルトホルダー４９の開放孔５５ｂへ挿入される支持部９８と、この支持部９８の平板部９７と反対側に設けられ、ベルトホルダー４９の挿通穴５５ａへ挿入される挿入天板部９９とで構成されている。
そして、平板部９７には、取付ねじ１００で、図示を省略したスライダーの天板部に取り付けるための取付孔９７ａが設けられている。
また、挿入天板部９９の前面には、押し釦６７の係合突条６９が係合できるように左右方向へ伸び、上下方向へ等間隔に複数の係止溝９９ａが設けられている。
【００６２】
次に、ベルトホルダー４９の取付の一例について説明する。
まず、カバー１８の長孔２０から突出した、図示を省略したスライダーの天板部にベース９６を、挿入天板部９９を前側へ向けて取付ねじ１００を用いて取り付ける。
そして、ベルトホルダー４９の挿入孔５６内の受け部５７にコイルスプリング７１Ａの一端を位置させた後、係合突条６９を下側の後側へ突出させた状態で挿入孔５６内へ挿入し、収容凹部６８ｂにコイルスプリング７１Ａの他端を収容させた平板状部６８でコイルスプリング７１Ａを圧縮させ、ベルトホルダー４９の前面と平板状部６８の前面とが同一面になる状態にする。
【００６３】
このようにしてベルトホルダー４９の前面と平板状部６８の前面とが同一面になる状態にすると、取付孔５２，６８ａが連通する位置関係になるので、取付ピン７３の軸部７４を取付孔５２、取付孔６８ａへ挿通し、ベルトホルダー４９から突出した軸部７４に設けられている係止溝７６に止め輪８５を係合させ、取付ピン７３がベルトホルダー４９から抜けるのを阻止する。
この状態で、平板状部６８（押し釦６７）を押し込んでいた力を取り除くと、押し釦６７はコイルスプリング７１Ａの付勢力で取付ピン７３を中心にして回動するが、平板状部６８が挿入孔５６の縁に当接することにより、回動を阻止される。
【００６４】
次に、平板状部６８の取付ピン７３よりも上側をコイルスプリング７１Ａの付勢力に抗して押し込み、押し釦６７を回動させて係合突条６９を挿入孔５６内へ待避させる。
そして、挿入天板部９９を挿通穴５５ａに嵌合させるとともに、支持部９８を開放孔５６ｂに嵌合させてベース９６をベルトホルダー４９側へ押し込み、平板状部６８を回動させていた力を取り除くと、コイルスプリング７１Ａの付勢力によって押し釦６７が反対側へ回動し、係合突条６９が係止溝９９ａに係合するので、ベース９６がベルトホルダー４９から抜けるのを阻止される。
なお、他の部分の取付は、第１実施例と同様になるので、説明を省略する。
【００６５】
次に、ベルトホルダー４９の高さ調整について説明する。
上記のようにして組み立てた状態において、押し釦６７をコイルスプリング７１Ａの付勢力に抗して押し込むことにより、係合突部６４が係止溝９９ａから抜け出るので、ベース９６に対してベルトホルダー４９を上下動させることができる。
そして、ベース９６に対してベルトホルダー４９を上下動させて所望の高さ位置にした後、押し釦６７を回動させていた力を解除すると、コイルスプリング７１Ａの付勢力によって押し釦６７が反対側へ回動し、係合突条６９が係止溝９９ａに係合するので、ベルトホルダー４９をその位置に固定できる。
【００６６】
上述したように、この発明の第５実施例によれば、スライダーに対するベルトホルダー４９の高さを調整する高さ調整機構９５を設けたので、ベルトホルダー４９の高さを最適高さ位置に調整することができる。
【００６７】
図１６はこの発明の第６実施例であるランドセル用ベルト保持具の要部を示す部分分解斜視図、図１７はこの発明の第６実施例であるランドセル用ベルト保持具の一方のベルトホルダー部分の縦断面図であり、図１〜図１５と同一または相当部分に同一符号を付し、その説明を省略する。
【００６８】
図１６または図１７において、ベルトホルダー４９は、バックルの雄部材とされている。
そして、ベルトホルダー４９には、回動端の片側先端に係合円柱部６０ａが設けられた弾性片６０を有する挿入部５９が設けられている。
１０２はバックルの雌部材を示し、図示を省略したスライダーの天板部に取付ねじ１０６で取り付けるための取付孔１０３と、ベルトホルダー４９に挿入部５９を回動可能に挿入できる挿入溝１０４と、この挿入溝１０４へ挿入部５９を挿入した状態で係合円柱部６０ａが係合する円形の係止孔１０５とが設けられている。
【００６９】
次に、ベルトホルダー４９の取付の一例について説明する。
まず、カバー１８の長孔２０から突出した、図示を省略したスライダーの天板部に雌部材１０２を被せ、取付ねじ１０６を用いて雌部材１０２をスライダーの天板部に取り付ける。
そして、雌部材１０２の挿入溝１０４内へベルトホルダー４９の挿入部５９を挿入すると、弾性片６０が撓むことによって係合円柱部６０ａが挿入溝１０４内へ入るので、挿入部５９を挿入溝１０４内へ挿入することができる。
【００７０】
このようにして挿入部５９を挿入溝１０４内へ挿入し、係合円柱部６０ａが係止孔１０５の位置へ進むと、弾性片６０の付勢（復元）力によって係合円柱部６０ａが係止孔１０５内へ突入し、ベルトホルダー４９が雌部材１０２から抜けるのを阻止される。
なお、他の部分の取付は、第１実施例と同様になるので、説明を省略する。
【００７１】
次に、ベルトホルダー４９の左右方向への回動、雌部材１０２からの取り外しについて説明する。
上記のようにして組み立てると、円柱状の係合円柱部６０ａが円形の係止孔１０５に係合するので、ベルトホルダー４９を雌部材１０２に対し、係合円柱部６０ａを中心にして左右方向へ回動させることができる。
そして、雌部材１０２からベルトホルダー４９を取り外すときは、弾性片６０の付勢力に抗して係合円柱部６０ａを挿入溝１０４内へ押し込みながらベルトホルダー４９を雌部材１０２から引き抜く方へ引っ張ると、係合円柱部６０ａが挿入溝１０４内へ入り込むので、ベルトホルダー４９を雌部材１０２から取り外すことができる。
【００７２】
上述したように、この発明の第６実施例によれば、ベルトホルダー４９と、このベルトホルダー４９をスライダーに対して取り付ける部材とを、バックルの雄部材と雌部材１０２とにしたので、背負いベルト４の着脱を容易に行うことができるとともに、背負いベルト４の交換を容易に行うことができる。
また、雌部材１０２に対してベルトホルダー４９を左右方向へ回動自在に取り付けたので、使用者の体格に応じてスライダーを移動させて背負いベルト４の上端部４ａの間隔を調整した後、背負いベルト４の上端部４ａの間隔が体格に合わせて微調整されても、そのときの背負いベルト４の回転角が小さく、背負いベルト４の接触角度変化が小さいため、背負いベルト４が肩に沿うかたちとなり、安定した使用感を得ることができる。
【図面の簡単な説明】
【００７３】
【図１】この発明の第１実施例であるランドセル用ベルト保持具を取り付けたランドセルの斜視図である。
【図２】図１に示したランドセル用ベルト保持具の正面図である。
【図３】図２に示したランドセル用ベルト保持具の分解斜視図である。
【図４】図２に示したランドセル用ベルト保持具の要部の拡大横断面図である。
【図５】図２に示したランドセル用ベルト保持具のスライダーロック機構を示す部分斜視図である。
【図６】スライダーロック機構をアンロック状態にした図４に対応する拡大横断面図である。
【図７】この発明の第２実施例であるランドセル用ベルト保持具の要部を示す部分分解斜視図である。
【図８】この発明の第２実施例であるランドセル用ベルト保持具の一方のベルトホルダー部分の横断面図である。
【図９】この発明の第３実施例であるランドセル用ベルト保持具の要部を示す部分分解斜視図である。
【図１０】図９に示したベルトホルダーの一部を破断した正面図である。
【図１１】この発明の第３実施例で使用するスライダーを示す斜視図である。
【図１２】この発明の第４実施例であるランドセル用ベルト保持具の要部を示す部分分解斜視図である。
【図１３】図１２に示した支持柱の小径柱を破断したベースの斜視図である。
【図１４】この発明の第５実施例であるランドセル用ベルト保持具の要部を示す部分分解斜視図である。
【図１５】この発明の第５実施例であるランドセル用ベルト保持具の一方のベルトホルダー部分の縦断面図である。
【図１６】この発明の第６実施例であるランドセル用ベルト保持具の要部を示す部分分解斜視図である。
【図１７】この発明の第６実施例であるランドセル用ベルト保持具の一方のベルトホルダー部分の縦断面図である。
【符号の説明】
【００７４】
１      ランドセル
２      ランドセル本体
２ａ    背負い面
２ｂ    底部
３      ランドセル用ベルト保持具
４      背負いベルト
４ａ    上端部
４ｂ    下端部
１１    ベース
１２    ベース本体
１３    底部
１３ａ  中央取付孔
１３ｂ  端取付孔
１４    上壁部
１５    下壁部
１６    前壁部
１６ａ  スライド溝
１７    取付片
１７ａ  取付孔
１８    カバー
１９    中央窓
２０    長孔
２０ａ  外側端部
２０ｂ  内側端部
２１    貫通孔
２３    フック
２４    挿入穴
２５    挿通孔
２６    取付ねじ
２８    スペーサー
２８ａ  挿入部
２８ｂ  はみ出し部
２８ｃ  突き当て面
２９    溝
３０    差込孔
３２    スライダー
３３    基部
３３Ａ  基部
３４    リング部
３４Ａ  天板部
３４ａ  取付孔
３５    脚部
３６    ラック部
３６ａ  歯
３８    連結機構
３９    カラー
３９ａ  下側小径部
３９ｂ  上側中径部
３９ｃ  中央大径部
３９ｄ  挿通孔
４０    ピニオンギア
４０ａ  孔
４１    ビス
４２    ナット
４４    スライダーロック機構
４５    板ばね
４５ａ  孔
４５ｂ  当接部
４６    ストッパープレート
４６ａ  孔
４６ｂ  突条部
４７    押し釦
４７ａ  押圧部
４７ｂ  弾性片
４７ｃ  係合突起
４９    ベルトホルダー
５０    ベルト保持部
５１    取付孔
５２    取付孔
５２Ａ  取付孔
５２ａ  円形孔
５２ｂ  係止孔
５３    挿入穴
５３ａ  係止段部
５４    挿通孔
５５    スライド溝
５５ａ  挿通穴
５５ｂ  開放孔
５６    挿入孔
５７    受け部
５９    挿入部
６０    弾性片
６０ａ  係合円柱部
６２    釦
６３    挿入平板部
６３ａ  Ｕ溝
６３ｂ  鍵穴
６４    係合突部
６５    取付係合突起
６７    押し釦
６８    平板状部
６８ａ  取付孔
６８ｂ  収容凹部
６９    係合突条
７１    コイルスプリング（付勢部材）
７１Ａ  コイルスプリング（付勢部材）
７３    取付ピン
７４    軸部
７４ａ  扁平部
７５    頭部
７６    係止溝
７８    コイルスプリング（付勢部材）
８０    前後方向回動ロック機構
８１    係止部材
８１ａ  取付孔
８１ｂ  係止突起
８２    係合部材
８３    円柱部
８３ａ  挿通孔
８３ｂ  係合溝
８４    係合突起部
８５    止め輪
８７    左右方向回動ロック機構
８８    ベース
８９    平板部
８９ａ  取付孔
９０    支持柱
９１    小径柱
９１ａ  係止溝
９２    天板部
９３    取付ねじ
９５    高さ調整機構
９６    ベース
９７    平板部
９７ａ  取付孔
９８    支持部
９９    挿入天板部
９９ａ  係止溝
１００  取付ねじ
１０２  雌部材
１０３  取付孔
１０４  挿入溝
１０５  係止孔
１０６  取付ねじ
１１１  取付鋲
【図１】
2006304929.tif 000003
【図２】
2006304929.tif 000004
【図３】
2006304929.tif 000005
【図４】
2006304929.tif 000006
【図５】
2006304929.tif 000007
【図６】
2006304929.tif 000008
【図７】
2006304929.tif 000009
【図８】
2006304929.tif 000010
【図９】
2006304929.tif 000011
【図１０】
2006304929.tif 000012
【図１１】
2006304929.tif 000013
【図１２】
2006304929.tif 000014
【図１３】
2006304929.tif 000015
【図１４】
2006304929.tif 000016
【図１５】
2006304929.tif 000017
【図１６】
2006304929.tif 000018
【図１７】
2006304929.tif 000019